(57)【要約】【課題】電源遮断後、再度電源が投入される際に、イニシャライズ処理の時間を短縮でき、また、未再現クレームの発生を抑制できる電子機器の提供を課題とする。【解決手段】電源が遮断される直前の機器１１ａ，１１ｂ，１１ｃの状態が不揮発性のメモリ１３に記憶され、電源遮断後、再度電源が投入される際に、メモリ１３に記憶された機器１１ａ，１１ｂ，１１ｃの状態に復帰するまでのイニシャライズ処理内容が、電源が投入されるまでの経過時間に基づいて、選択されて実行される。【選択図】図３
2007207379.tif 000002
【特許請求の範囲】
【請求項１】
電源が遮断される直前の機器の状態が不揮発性のメモリに記憶され、前記電源遮断後、再度前記電源が投入される際に、前記メモリに記憶された前記機器の状態に復帰するまでのイニシャライズ処理内容が、前記電源が投入されるまでの経過時間に基づいて、選択されて実行されることを特徴とする電子機器。
【請求項２】
前記イニシャライズ処理は、前記機器本来の機能を実行可能な状態になるまでの処理であることを特徴とする請求項１に記載の電子機器。
【請求項３】
電気的に駆動されて所定の動作を行う可動部材と、
前記可動部材の状態を検出する検出手段と、
前記可動部材の状態を記憶する不揮発性のメモリと、を備えた電子機器において、
電源が遮断される直前の前記可動部材の状態が前記メモリに記憶され、前記電源遮断後、再度前記電源が投入される際に、前記メモリに記憶された前記可動部材の状態に復帰するまでのイニシャライズ処理内容が、前記電源が投入されるまでの経過時間に基づいて、選択されて実行されることを特徴とする電子機器。
【請求項４】
電気的に駆動されて所定の動作を行うと共に、識別情報が付与された可動部材を備えた電子機器において、
前記識別情報を読み取る読み取り手段と、
前記識別情報を記憶する不揮発性のメモリと、を備え、
電源が遮断される直前の前記識別情報を前記メモリに記憶し、
前記電源遮断後、再度前記電源が投入される際に、前記識別情報読み取り手段によって前記可動部材の前記識別情報が読み取られ、
前記読み取られた前記識別情報が前記メモリに記憶されている前記識別情報と比較され、
前記比較結果に基づいて、前記可動部材のイニシャライズ処理内容が選択されて実行されることを特徴とする電子機器。
【請求項５】
前記イニシャライズ処理は、前記可動部材本来の機能を実行可能な状態になるまでの処理であることを特徴とする請求項３または４に記載の電子機器。
【請求項６】
電子機器本体に識別情報が付与されると共に、
前記識別情報を読み取る読み取り手段と、
前記識別情報を記憶する不揮発性のメモリと、を備え、
電源が遮断される直前の前記識別情報を前記メモリに記憶し、
前記電源遮断後、再度前記電源が投入される際に、前記電子機器本体の前記識別情報が読み取られ、
前記読み取られた前記識別情報が前記メモリに記憶されている前記識別情報と比較され、
前記比較結果に基づいて、前記電子機器本体のイニシャライズ処理内容が選択されて実行されることを特徴とする電子機器。
【請求項７】
前記イニシャライズ処理は、前記電子機器本体の本来の機能を実行可能な状態になるまでの処理であることを特徴とする請求項７に記載の電子機器。
【請求項８】
複数枚のディスクを格納するディスク格納手段と、
前記ディスクを再生するディスク再生手段と、
前記ディスク格納手段内の前記ディスクに関するディスク情報を取得するディスク情報
取得手段と、
前記ディスク情報を記憶する不揮発性のメモリとを備え、
電源が遮断される直前の前記ディスク情報が前記メモリに記憶され、
電源遮断後、再度前記電源が投入される際に、前記ディスク情報が読み取られ、
前記読み取られた前記識別情報が前記メモリに記憶されている前記ディスク情報と比較され、
前記比較結果に基づいて、前記ディスク再生手段のイニシャライズ処理内容が選択されて実行されることを特徴とする電子機器。
【請求項９】
前記イニシャライズ処理は、前記ディスク再生手段本来の機能を実行可能な状態になるまでの処理であることを特徴とする請求項９に記載の電子機器。
【請求項１０】
各部の状態を検出する検出手段と、
前記各部の状態を記憶する不揮発性のメモリと、を備えた電子機器において、
電源投入後、前記検出手段によって前記各部の状態が検出されて前記メモリに記憶され、
電源遮断後、再度前記電源が投入される際に、前記メモリに記憶されている前記各部の状態が読み出された場合は、前記メモリに記憶されている前記各部の状態に復帰するまでのイニシャライズ処理内容が、前記電源が投入されるまでの経過時間に基づいて、選択されて実行され、
前記メモリに記憶されている前記各部の状態が読み出されなかった場合は、前記検出手段によって前記各部の状態が検出され、前記検出結果に基づいて、前記各部のイニシャライズ処理内容が選択されて実行されることを特徴とする電子機器。
【請求項１１】
前記イニシャライズ処理は、前記各部の本来の機能を実行可能な状態になるまでの処理であることを特徴とする請求項１０に記載の電子機器。
【発明の詳細な説明】
【技術分野】
【０００１】
本発明は、ディスク再生装置、複数枚のディスクを交換して再生するディスクチェンジャなどに好適な電子機器に関する。
【背景技術】
【０００２】
従来、CD（Compact Disc）やDVD（Digital Versatile Disk）などの記録媒体であるデ
ィスクを再生するディスク再生装置やディスクチェンジャ（複数枚のディスクを格納し、これらのディスクを自動的に交換して再生する）は、電源が遮断された時点で光ピックアップ、回転テーブルの状態、ディスク情報などメモリに記憶されていた全ての情報がクリアされていた。
【特許文献１】特開２００２−９３０１９号公報
【特許文献２】特開平５−３３３９６２号公報
【特許文献３】特開２００１−１４２８３９号公報
【発明の開示】
【発明が解決しようとする課題】
【０００３】
しかしながら、従来のディスク再生装置やディスクチェンジャなどは、電源が投入される毎にイニシャライズ処理が行われていたため、ディスクを再生可能な状態になるまでに時間がかかるという問題があった。なお、上記ディスク再生装置のイニシャライズ処理処理とは、再生機器の再起動時に、ディスク再生可能な状態（待ち受け状態）になるまでの処理を実行することである。
【０００４】
特に、ディスクチェンジャは、ディスクが再生される前に、イニシャライズ処理によって回転テーブル或いはディスク格納棚等に収納されているディスクの種類、ID（識別情報）、枚数などの情報が取得される。従って、ディスクチェンジャのイニシャライズ処理は、更に長くなるという問題があった。
【０００５】
また、上記ディスクチェンジャでは、ディスクの再生途中に電源が遮断されたときには、ディスクに関する情報などが全てクリアされてしまう。そして、電源が再投入されたときには、再度、イニシャライズ処理が必要となるため、ディスクを再生可能な状態になるまで長時間を要するという問題があった。
【０００６】
このため、ディスクチェンジャのユーザーにとっては、シングルディスク再生装置よりも使い勝手が悪くなるという問題があった。
【０００７】
更に、ディスク再生装置又はディスクチェンジャを使用中に、ディスク再生装置又はディスクチェンジャに不具合が発生した場合には、電源を遮断した後、修理のために製造元などに搬送するのが普通であり、不具合の状態が保存されていない。このため、修理業者などが、不具合の解析をすることが困難であり、最悪の場合、未再現クレームとなってしまうことがあった。
【０００８】
このような問題は、ディスク再生装置やディスクチェンジャに限らず、一般的な電子機器に共通の問題である。
【０００９】
本発明は、このような問題に鑑みなされたもので、電源遮断後、再度電源が投入される際に、イニシャライズ処理の時間を短縮でき、また、未再現クレームの発生を抑制できる電子機器の提供を課題とする。
【課題を解決するための手段】
【００１０】
本発明は、前記課題を解決するため、以下の手段を採用した。
【００１１】
（１）本発明は、
電源が遮断される直前の機器の状態が不揮発性のメモリに記憶され、前記電源遮断後、再度前記電源が投入される際に、前記メモリに記憶された前記機器の状態に復帰するまでのイニシャライズ処理内容が、前記電源が投入されるまでの経過時間に基づいて、選択されて実行されることを特徴とする。
【００１２】
上記電子機器としては、ディスク再生装置やディスクチェンジャを例示できる。また、不揮発性のメモリとは、周知のように、データの消去・書き込みを自由に行なうことができ、電源を切っても内容が消えない半導体メモリの一種である。この不揮発性のメモリとしては、例えば、EEPROM（Electronically Erasable and Programmable Read Only Memory ）、フラッシュメモリなどを例示できる。
【００１３】
本発明では、例えば電源遮断から再度電源が投入されるまでの経過時間が短い場合には、イニシャライズ処理内容を省略するようにできる。従って、再度の電源投入から電子機器本来の機能を実行可能な状態（スタンバイ状態）になるまでの時間を短縮できる。
【００１４】
（２）前記イニシャライズ処理は、前記機器本来の機能を実行可能な状態になるまでの処理である。
【００１５】
（３）また、本発明は、
電気的に駆動されて所定の動作を行う可動部材と、
前記可動部材の状態を検出する検出手段と、
前記検出手段の検出結果を記憶する不揮発性のメモリと、を備えた電子機器において、
電源が遮断される直前の前記可動部材の状態が前記メモリに記憶され、前記電源遮断後、再度前記電源が投入される際に、前記メモリに記憶された前記可動部材の状態に復帰するまでのイニシャライズ処理内容が、前記電源が投入されるまでの経過時間に基づいて、選択されて実行されることを特徴とする。
【００１６】
本発明では、例えば使用者の意図に反して電源が遮断されたような場合には、上記経過時間が短くなるのが普通であり、このような場合には、イニシャライズ処理を省略できる。
【００１７】
（４）また、本発明は、
電気的に駆動されて所定の動作を行うと共に、識別情報が付与された可動部材を備えた電子機器において、
前記識別情報を読み取る読み取り手段と、
前記識別情報を記憶する不揮発性のメモリと、を備え、
電源が遮断される直前の前記識別情報が前記メモリに記憶され、
前記電源遮断後、再度前記電源が投入される際に、前記識別情報読み取り手段によって前記可動部材の前記識別情報が読み取られ。
【００１８】
前記読み取られた前記識別情報が前記メモリに記憶されている前記識別情報と比較され、
前記比較結果に基づいて、前記可動部材のイニシャライズ処理内容が選択されて実行されることを特徴とする。
【００１９】
上記可動部材としては、ディスク再生装置又はディスクチェンジャの光ピックアップ手段、回転テーブルなどを例示できる。
【００２０】
本発明では、電源遮断前と電源再投入後の可動部材が同一である場合は、電源再投入後に検出された識別情報と、メモリに記憶されていた識別情報とが一致する。この場合には、イニシャライズ処理を省略できる。
【００２１】
また、電源再投入後に検出された識別情報と、メモリに記憶されていた識別情報とが一致しない場合には、イニシャライズ処理内容を全て実行するようにできる。
【００２２】
（５）前記イニシャライズ処理は、前記可動部材本来の機能を実行可能な状態になるまでの処理である。
【００２３】
（６）また、本発明は、
電子機器本体に識別情報が付与されると共に、
前記識別情報を読み取る読み取り手段と、
前記識別情報を記憶する不揮発性のメモリと、を備え、
電源が遮断される直前の前記識別情報が前記メモリに記憶され、
前記電源遮断後、再度前記電源が投入される際に、前記電子機器本体の前記識別情報が読み取られ、
前記読み取られた前記識別情報が前記メモリに記憶されている前記識別情報と比較され、
前記比較結果に基づいて、前記電子機器本体のイニシャライズ処理内容が選択されて実行されることを特徴とする。
【００２４】
本発明では、電源遮断前の電子機器本体の識別情報と、電源再投入後の電気機器本体の識別情報とが一致する場合には、電子機器本体のイニシャライズ処理が省略されるようにできる。
【００２５】
また、電源遮断前の電子機器本体の識別情報と、電源再投入後の電気機器本体の識別情報とが一致しない場合には、電子機器本体のイニシャライズ処理内容が全て実行されるようにできる。
【００２６】
（７）前記イニシャライズ処理は、前記電子機器本体の本来の機能を実行可能な状態になるまでの処理である。
【００２７】
（８）また、本発明は、
複数枚のディスクを格納するディスク格納手段と、
前記ディスクを再生するディスク再生手段と、
前記ディスク格納手段内の前記ディスクに関するディスク情報を取得するディスク情報取得手段と、
前記ディスク情報を記憶する不揮発性のメモリとを備え、
電源が遮断される直前の前記前記ディスク情報が前記メモリに記憶され、
電源遮断後、再度前記電源が投入される際に、前記ディスク情報が読み取られ、
前記読み取られた前記ディスク情報と前記メモリに記憶されている前記ディスク情報とが比較され、
前記比較結果に基づいて、前記ディスク再生手段のイニシャライズ処理内容が選択されて実行されることを特徴とする。
【００２８】
本発明では、メモリ記憶されている電源遮断前のディスク情報と、電源再投入後のディ
スク情報とが一致する場合には、イニシャライズ処理を省略できる。
【００２９】
また、メモリ記憶されている電源遮断前のディスク情報と、電源再投入後のディスク情報とが一致しない場合には、イニシャライズ処理内容が全て選択されて実行されるようにできる。
【００３０】
（９）前記イニシャライズ処理は、前記ディスク再生手段本来の機能を実行可能な状態になるまでの処理である。
【００３１】
（１０）また、本発明は、
各部の状態を検出する検出手段と、
前記各部の状態を記憶する不揮発性のメモリと、を備えた電子機器において、
電源投入後、前記検出手段によって前記各部の状態が検出されて前記メモリに記憶され、
電源遮断後、再度前記電源が投入される際に、前記メモリに記憶されている前記各部の状態が読み出された場合は、前記メモリに記憶されている前記各部の状態に復帰するまでのイニシャライズ処理内容が、前記電源が投入されるまでの経過時間に基づいて、選択されて実行され、
前記メモリに記憶されている前記各部の状態が読み出されなかった場合は、前記検出手段によって前記各部の状態が検出され、前記検出結果に基づいて、前記各部のイニシャライズ処理内容が、選択されて実行されることを特徴とする。
【００３２】
本発明では、メモリに記憶されいる各部の状態を読み出すことができる場合には、イニシャライズ処理を省略できる。
【００３３】
また、メモリに記憶されている各部の状態を読み出すことができない場合には、各部の状態が検出され、この検出結果に基づいてイニシャライズ処理を全て実行することができる。
【００３４】
（１１）前記イニシャライズ処理は、前記各部の本来の機能を実行可能な状態になるまでの処理である。
【発明の効果】
【００３５】
以上説明したように、本発明によれば、電源が遮断されてから再度電源が投入されるまでの経過時間が短い場合には、イニシャライズ処理が省略されるようにできるので、イニシャライズ処理時間を短縮できる。従って、使用者にとって使い勝手がよくなる。また、電源遮断時の各部の状態がメモリに記憶されるので、未再現クレームの発生を抑制できる。
【発明を実施するための最良の形態】
【００３６】
以下、本発明の実施の形態について図面を参照して詳細に説明する。
【００３７】
《第１の実施の形態》
図１は、本発明に係る第１の実施の形態の電子機器１を示す。この電子機器１は、電気的に駆動されて所定の動作を行う可動部材１１ａ，１１ｂ・・・を有する機構部１１、機構部１１を制御するマイコン（マイクロコンピュータ）１２、記憶手段である不揮発性のメモリ１３、電源遮断を検出する電源低下検知回路１４、機構部１１における各可動部材１１ａ，１１ｂ・・・の状態を検出する状態検出手段１５、マイコン１２に電源を供給するコンデンサ１６を備えている。
【００３８】
上記コンデンサ１６には、電源が接続されている。また、マイコン１２には、通信インターフェース（図示せず）が接続されている。そして、使用者がリモコン（図示せず）などを操作することにより、マイコン１２から制御信号が送出されて、後述の機構部１１が制御される。
【００３９】
電源低下検知回路１４は、コンデンサ１６から出された電圧が低下する速度を検出することにより、電源が遮断されたことを検知する。なお、メモリ１３は揮発性のものも使用できる。但し、この場合は、メモリ１３の周辺回路の電源のみを保持しておく電池などを設ける必要がある。
【００４０】
上記電子機器１としては、ディスク再生装置、ディスクチェンジャデッキなどを例示できる。また、上記可動部材１１ａ，１１ｂ・・・としては、光ピックアップ，回転テーブルなどを例示できる。
【００４１】
この電子機器１は、後述のように、電源が遮断された後、次に電源が投入されるまでの経過時間Ｔ１に基づいて、イニシャライズ処理内容が選択されて実行される。例えばディスク再生装置におけるイニシャライズ処理とは、再生機器の再起動時に、ディスク再生可能な状態（待ち受け状態）になるまでの処理を実行することである。
【００４２】
図２は、この電子機器１におけるラストメモリ処理を示すフローチャートである。なお、ラストメモリ処理とは、電源遮断時にその直前に検出された各部の状態をメモリ１３に記憶しておく処理である。
【００４３】
このラストメモリ処理では、まず、ラストメモリ機能がＯＮ中であるか否かが判断される（Ｓ２０１）。
【００４４】
ステップ２０１で、ラストメモリ機能がＯＮ中であると判断された場合は、次に、必要情報、すなわち、機構部１１における可動部材１１ａ，１１ｂ・・・の状態が検出され、これがメモリ１３に書き込まれる（Ｓ２０２）。すなわち、各部の状態がメモリ１３に記憶される。
【００４５】
次に、メモリ書き込みが終了したか否かが判断される（Ｓ２０３）。ここで、メモリ書き込みが終了したと判断された場合は、次に、後述のスタンバイ処理が行われる（Ｓ２０４）。
【００４６】
なお、上記ステップ２０１のラストメモリ機能がＯＮ中か否かの判断処理、ステップ２０２の必要情報（可動部材１１ａ，１１ｂ・・・の状態）のメモリ書き込み処理、ステップ２０３のメモリ書き込みが終了したか否かの判断は、所定の時間毎に定期的に行われる。これらの処理は、短時間毎に行うのが好ましい。
【００４７】
また、上記ステップ２０１でラストメモリ機能がＯＮ中ではない、すなわちＯＦＦであると判断された場合は、次に、ステップ２０４でスタンバイ処理が行われる。
【００４８】
また、上記ステップ２０３でメモリ書き込みが終了していないと判断された場合は、ステップ２０３の判断処理が繰り返して行われる。
【００４９】
図３は、上記ステップ２０４におけるスタンバイ処理のフローチャートを示す。ここでは、先ず、電源が遮断された場合（Ｓ１０１）、次に、再度電源が投入されると（Ｓ１０２）、電源遮断から電源投入までの経過時間Ｔ１が検出される（Ｓ１０３）。
【００５０】
次に、上記経過時間Ｔ１が予め定められた所定時間Ｔ２以上か否かが判断される（Ｓ１０４）。ここで、経過時間Ｔ１が所定時間Ｔ２以上であると判断された場合は、次に、メモリ１３に記憶されている各部の状態に復帰するまでのイニシャライズ処理が全て選択されて実行される（Ｓ１０５）。イニシャライズ処理が終了するとスタンバイ状態、すなわち、使用者が使用可能な状態になる（Ｓ１０６）。
【００５１】
なお、一般的に上記イニシャライズ処理とは、電源の投入時に、各部が本来の機能を実行可能な状態になるまでの処理である。
【００５２】
また、上記Ｓ１０４で経過時間Ｔ１が所定時間Ｔ２未満であると判断された場合は、上記メモリ１３に記憶されている各部の状態に復帰するまでのイニシャライズ処理が省略され、即座にステップ１０６のスタンバイ状態となる。
【００５３】
このように、本発明では、電源遮断から電源投入までの経過時間Ｔ１に基づいて、イニシャライズ処理内容が選択されて実行される。本実施形態では、経過時間Ｔ１が所定時間Ｔ２以上であればイニシャライズ処理内容が全て実行され、経過時間Ｔ１が所定時間Ｔ２未満であればイニシャライズ処理が省略される。
【００５４】
例えば、電子機器１の機構部１１における可動部材１１ａ，１１ｂ・・・の何れかが作動中、すなわち、初期状態から外れた位置にあるときに、何らかの原因で使用者の意志に反して電源が遮断された場合、使用者によって直ぐに電源が投入されるのが普通である。
【００５５】
このとき、経過時間Ｔ１が所定時間Ｔ２未満であった場合には、メモリ１３に記憶されている各部の状態に復帰するまでのイニシャライズ処理が省略されて、直ぐにスタンバイ状態となり、電子機器本来の機能、すなわち、可動部材１１ａ，１１ｂ・・・が本来の作動を実行可能な状態となる。
【００５６】
例えば、従来のディスクチェンジャでは、電源が不用意に遮断された場合、直ぐに電源を投入してもイニシャライズ処理に１分程度かかっていたが、本発明を適用したディスクチェンジャは、殆ど瞬時にスタンバイ状態となり、ディスクの再生が可能となる。なお、ディスクチェンジャのイニシャライズ処理には、どのようなディスクが収納されているか、どのディスクのどの部分を再生していたかなどの情報を取得する処理などが含まれている。
【００５７】
また、使用者が電源を遮断するなどして、電源が正常に遮断された場合は、次に電源が投入されるまである程度長い時間を経過している（Ｔ１≧Ｔ２）のが普通なので、この場合は、次に電源を投入した際に通常のイニシャライズ処理内容が全て実行される。
【００５８】
従って、電子機器１の使用者にとっては、使い勝手が向上する。また、製造者にとっては、検査工程で電源の入り切りを繰り返した場合でも、上記経過時間Ｔ１が所定時間Ｔ２未満であれば、イニシャライズ処理が省略されるので、検査工程の効率が向上する。
【００５９】
更に、電子機器１に不具合が発生した際には、その状態で使用者が電源を遮断するのが普通であり、この場合には、電源が遮断される直前の可動部材１１ａ，１１ｂ・・・の状態がメモリ１３に記憶されている。
【００６０】
これにより、電子機器１を修理する場合には、可動部材１１ａ，１１ｂ・・・をメモリ１３に記憶されている状態、すなわち、不具合が発生した状態に復元できるので、未再現クレームの発生を抑制できる。
【００６１】
《第２の実施の形態》
図４は、本発明に係る第２の実施の形態の電子機器２０を示す。なお、以下の説明では、図１と同様な部分には同一の符号を付けて詳細な説明を省略する。
【００６２】
この電子機器２０は、上記第１の実施の形態の電子機器１と同様に、電気的に駆動されて所定の動作を行う可動部材１１ａ，１１ｂ・・・を有する機構部１１、機構部１１を制御するマイコン１２、メモリ１３、電源低下検知回路１４、コンデンサ１６を備えている。
【００６３】
更に、この電子機器２０は、機構部１１における各可動部材１１ａ，１１ｂ・・・の状態を検出する状態検出手段２１を備えている。なお、状態検出手段２１としては、フォトセンサやマイクロスイッチなどを例示できる。
【００６４】
この電子機器２０は、図２と同様なラストメモリ処理が行われた後、図５に示すように、スタンバイ処理が行われる。
【００６５】
このスタンバイ処理では、まず、電源が遮断された場合（Ｓ１１１）、次に電源が投入されると（Ｓ１１２）、可動部材１１ａ，１１ｂ・・・の状態が状態検出手段１５によって検出される（Ｓ１１３）。
【００６６】
次に、可動部材１１ａ，１１ｂ・・・が初期状態にあるか否かが判断される（Ｓ１１４）。ここで、全ての可動部材１１ａ，１１ｂ・・・が初期状態にあると判断された場合は、次にイニシャライズ処理が実行され（Ｓ１１５）、スタンバイ状態となる（Ｓ１１６。）
ステップ１１４で、可動部材１１ａ，１１ｂ・・・の全部又は一部が初期状態から外れていると判断された場合には、イニシャライズ処理が省略され、即座にステップ１１４のスタンバイ状態となる。
【００６７】
このように、本発明の電子機器２０は、再度電源投入された際に、可動部材１１ａ，１１ｂ・・・の状態が検出され、この検出結果に基づいてイニシャライズ処理が選択されて実行される。
【００６８】
例えば、電子機器２０の使用中に電源が不用意に遮断された場合には、可動部材１１ａ，１１ｂ、・・・が初期状態から外れているので、イニシャライズ処理が省略され、即座にスタンバイ状態となり使用可能になる。従って、第１の実施の形態の電子機器１と同様な作用効果がある。
【００６９】
《第３の実施の形態》
図６は、本発明に係る第３の実施の形態の電子機器３０を示す。この電子機器３０の機構部１１における可動部材１１ａ，１１ｂ・・・には、それぞれＩＤ（識別情報）３１ａ，３１ｂ・・・が付与されている。
【００７０】
また、この電子機器３０は、可動部材１１ａ，１１ｂ・・・のＩＤを読み取るＩＤ読み取り手段３２を備えている。このＩＤ読み取り手段３２によって読み取られたＩＤ３１ａ，３１ｂ・・・は、不揮発性のメモリ１３に記憶される。
【００７１】
図７は、この電子機器３０におけるスタンバイ処理のフローチャートを示す。ここでは、先ず、電源が投入されると（Ｓ１２１）、次に、ＩＤ読み取り手段３２によって各可動部材１１ａ，１１ｂ・・・のＩＤ３１ａ，３１ｂ・・・が読み取られる（Ｓ１２２）。これらのＩＤ３１ａ，３１ｂ・・・は、メモリ１３に記憶される（Ｓ１２３）。
【００７２】
次に、電源が遮断された場合（Ｓ１２４）、次に電源が再投入されたときに（Ｓ１２５）、ＩＤ読み取り手段３２によって可動部材１１ａ，１１ｂ・・・のＩＤ３１ａ，３１ｂ・・・が読み取られる（Ｓ１２６）。
【００７３】
次に、ステップ１２６で読み取られたＩＤ３１ａ，３１ｂ・・・と、メモリ１３に記憶されているＩＤ３１ａ，３１ｂ・・・とが比較され、これらのＩＤ３１ａ，３１ｂ・・・が一致するか否かが判断される（Ｓ１２７）。
【００７４】
ここで、両方のＩＤ３１ａ，３１ｂ・・・の全部又は一部が一致しないと判断された場合は、次にイニシャライズ処理が実行され（Ｓ１２８）、スタンバイ状態となる（Ｓ１２９）。
【００７５】
ステップ１２７で、両方のＩＤ３１ａ，３１ｂ・・・が全て一致すると判断され場合は、イニシャライズ処理が省略され、即座にステップ１２８のスタンバイ状態となる。
【００７６】
このように、本発明では、可動部材１１ａ，１１ｂ・・・にＩＤ３１ａ，３１ｂ・・・が付与され、メモリ１３に記憶されているＩＤ３１ａ，３１ｂ・・・・と、電源投入時に検出されたＩＤ３１ａ，３１ｂ・・・を比較し、その比較結果に基づいてイニシャライズ処理が選択されて実行される。
【００７７】
本実施の形態では、メモリ１３に記憶されているＩＤ３１ａ，３１ｂ・・・（電源遮断の前に検出されたＩＤ）と、電源投入時のＩＤ３１ａ，３１ｂ・・・とが全て一致した場合には、イニシャライズ処理が省略される。
【００７８】
これは、上記両方のＩＤ３１ａ，３１ｂ・・・が全て一致したときには、電源が遮断されている間に、可動部材１１ａ，１１ｂ・・・が交換されていないことを意味している。従って、イニシャライズ処理が不要であると判断するものである。
【００７９】
なお、上記の実施の形態では、メモリ１３に記憶されているＩＤ３１ａ，３１ｂ・・・と、電源投入時のＩＤ３１ａ，３１ｂ・・・とが全て一致したときには、イニシャライズ処理が省略される場合について説明したが、この場合でも、例えば電源投入時に検出された可動部材１１ａ，１１ｂ・・・の状態に応じて、イニシャライズ処理内容のうち、必要と判断される一部の処理を選択して実行することもできる。
【００８０】
《第４の実施の形態》
図８は、本発明に係る第４の実施の形態の電子機器４０を示す。この電子機器４０は、電子機器本体である機構部１１にＩＤ４１が付与されている。このＩＤ４１は、ＩＤ読み取り手段３２によって読み取られ、メモリ１３に記憶される。
【００８１】
図９は、この電子機器４０におけるスタンバイ処理のフローチャートを示す。ここでは、先ず、電源が投入されると（Ｓ１３１）、ＩＤ読み取り手段３２によって、機構部１１のＩＤ４１が読み取られる（Ｓ１３２）。読み取られたＩＤ４１は、メモリ１３に記憶される（１３３）。
【００８２】
次に、電源が遮断された場合（Ｓ１３４）、次に電源が再投入されると（Ｓ１３５）、ＩＤ読み取り手段３２によって機構部１１のＩＤ４１が読み取られる（Ｓ１３６）。
【００８３】
次に、ステップ１３６で読み取られたＩＤ４１と、メモリ１３に記憶されているＩＤ４１とが比較され、これらのＩＤ４１が一致するか否かが判断される（Ｓ１３７）。
【００８４】
ここで、両方のＩＤ４１が一致しないと判断された場合は、次にイニシャライズ処理が全て実行され（Ｓ１３８）、スタンバイ状態となる（Ｓ１３９）。
【００８５】
ステップ１３７で、両方のＩＤ４１が一致すると判断され場合は、イニシャライズ処理が省略され、即座にステップ１３８のスタンバイ状態となる。
【００８６】
このように、本発明では、電子機器本体である機構部１１にＩＤ４１が付与され、メモリ１３に記憶されている電源遮断の前に検出されたＩＤ４１と、電源投入時に検出されたＩＤ４１とが比較され、その比較結果に基づいて、イニシャライズ処理内容が選択されて実行される。
【００８７】
本実施の形態では、メモリ１３に記憶されているＩＤ４１（電源遮断の前に検出されたＩＤ４１）と、電源投入時に検出されたＩＤ４１とが一致した場合には、イニシャライズ処理が省略される。これは、上記両方のＩＤ４１が一致したときには、電源が遮断されている間に、機構部１１が交換されていないことを意味している。従って、イニシャライズ処理が不要であると判断するものである。
【００８８】
《第５の実施の形態》
図１０は、本発明に係る第５の実施の形態の電子機器であるディスクチェンジャ５０を示す。このディスクチェンジャ５０は、筺体５２、この筺体５２内に設けられ複数枚のCD（コンパクトディスク）５４を収納可能なディスク格納手段としてのストッカ５３、CD５４を再生するディスク再生手段、及びストッカ５３に格納されている全てのCD５４に関する情報、例えばCD５４の種類、IDなどの情報を取得するディスク情報取得手段として機能するＰＵ（ピックアップ）ユニット５５を備えている。このＰＵユニット５５は、ディスク再生手段として機能する。
【００８９】
また、このディスクチェンジャ５０は、CD５４を搬送する搬送ローラ５６、ストッカ５３全体の昇降移動及び特定のCD５４の昇降移動を行う昇降分割機構５８、ＰＵユニット５５及び昇降分割機構５８を制御する制御回路５９、上記ディスク情報を記憶するメモリ１３を備えている。なお、上記各構成要素は、一般的なものを使用できるので、その詳細な説明は省略する。
【００９０】
図１１は、このディスクチェンジャ５０におけるスタンバイ処理のフローチャートである。ここでは、先ず、電源が投入されると（Ｓ１４１）、次に、ストッカ５３に格納されているCD５４、及び再生位置にあるCD５４の種類、ID、枚数などのディスク情報が取得される（Ｓ１４２）。そして、電源遮断の直前のディスク情報が、メモリ１３に記憶される（Ｓ１４３）。
【００９１】
次に、電源が遮断された場合（Ｓ１４４）、次に、再度電源が投入されると（Ｓ１４５）、全てのCD５４に関するディスク情報が取得される（Ｓ１４６）。次に、ステップ１４６で取得されたディスク情報と、メモリ１３に記憶されているディスク情報とが一致するか否かが判断される（Ｓ１４７）。
【００９２】
ここで、両方のディスク情報が一致しないと判断された場合は、次に、CD５４に対するイニシャライズ処理が実行され、CD５４の種類、ID、枚数などのディスク情報が取得され（Ｓ１４８）、この後、スタンバイ状態になる（Ｓ１４９）。
【００９３】
また、ステップ１４７でディスク情報が一致する判断された場合は、イニシャライズ処理が省略され、即座にステップ１４８のスタンバイ状態となる。
【００９４】
このように、本発明によれば、メモリに記憶されている電源遮断の直前のディスク情報と、電源投入時に検出されたディスク情報とが一致する場合には、CD５４に対するイニシャライズ処理が省略されるので、電源投入とほぼ同時にCD５４を再生可能な状態になる。従って、ディスクチェンジャ５０の使い勝手が向上すると共に、検査工程の効率が向上する。
【００９５】
《第６の実施の形態》
図１３は、本発明に係る第６の実施の形態の電子機器におけるスタンバイ処理を示すフローチャートである。なお、この電子機器の構成は、上記第２の実施の形態の電子機器２０（図４参照）と同一である。
【００９６】
ここでは、電源が遮断されると（Ｓ１５１）、次に、可動部材１１ａ，１１ｂ・・・の状態が状態検出手段２１によって検出される（Ｓ１５２）。そして、電源遮断の直前の可動部材１１ａ，１１ｂ・・・の状態が、メモリ１３に記憶される（Ｓ１５３）。
【００９７】
次に、電源が投入されると（Ｓ１５４）、メモリ１３から可動部材１１ａ，１１ｂ・・・の状態が読み出し可能か否かが判断される（Ｓ１５５）。
【００９８】
ここで、メモリ１３から可動部材１１ａ，１１ｂ・・・の状態を読み出すことが不可能と判断された場合は、次に、可動部材１１ａ，１１ｂ・・・の状態が検出される（Ｓ１５６）。
【００９９】
次に、ステップ１５６で検出された可動部材１１ａ，１１ｂ・・・の状態に基づいて、イニシャライズ処理が実行され（Ｓ１５７）、スタンバイ状態となる（Ｓ１５８）。本実施形態では、例えば可動部材１１ａ，１１ｂ・・・が初期状態にある場合には、イニシャライズ処理が実行される。また、可動部材１１ａ，１１ｂ・・・が、初期状態から外れている場合には、イニシャライズ処理が省略される。
【０１００】
また、ステップ１５５で、メモリ１３から可動部材１１ａ，１１ｂ・・・の状態を読み出すことができると判断された場合は、次に、メモリ１３から読み出された可動部材１１ａ，１１ｂ・・・の状態に基づいて、イニシャライズ処理内容が選択されて実行され（Ｓ１５９）、ステップ１５８のスタンバイ状態となる。
【０１０１】
上記ステップ１５９では、メモリ１３から読み出された可動部材１１ａ，１１ｂ・・・の状態が初期状態である場合には、イニシャライズ処理が実行される。また、メモリ１３から読み出された可動部材１１ａ，１１ｂ・・・の状態が、初期状態から外れている場合には、イニシャライズ処理が省略される。
【０１０２】
本発明では、メモリ１３が正常に作動している場合には、このメモリ１３に記憶されている可動部材１１ａ，１１ｂ・・・の状態に基づいてイニシャライズ処理が省略され又は実行されるので、使い勝手が良くなる。また、製造者における検査効率が向上する。
【０１０３】
また、メモリ１３が故障した場合には、電源投入時における可動部材１１ａ，１１ｂ・・・の状態に基づいてイニシャライズ処理が省略され又は実行されるので、使い勝手が良くなる。また、製造者における検査効率が向上する。
【０１０４】
《第７の実施の形態》
図１３は、本発明に係る第７の実施の形態の電子機器におけるスタンバイ処理を示すフローチャートである。なお、この電子機器の構成は、第１の実施の形態の電子機器１（図
１参照）と同様である。
【０１０５】
ここでは、先ず、電源が遮断されると（Ｓ１６１）、次に、電源低下検知手段１４によって電源減少速度が検知される（Ｓ１６２）。次に、ステップ１６２で検知された電源減少速度に応じて、上記所定時間Ｔ２が設定される（Ｓ１６３）。
【０１０６】
ここでは、電源減少速度が大きい場合、すなわち、電源が遮断されたような場合には、所定時間Ｔ２が比較的短く設定される。これとは反対に、電源減少速度が小さい場合には、所定時間Ｔ２が比較的長く設定される。
【０１０７】
次に、電源が投入されると（Ｓ１６４）、電源遮断から電源投入までの経過時間Ｔ１が検出される（Ｓ１６５）。次に、経過時間Ｔ１が所定時間Ｔ２以上か否かが判断される（Ｓ１６６）。
【０１０８】
上記ステップ１６５で、Ｔ１≧Ｔ２であると判断されると、次に、イニシャライズ処理が実行され（Ｓ１６７）、続いてスタンバイ状態となる（Ｓ１６８）。
【０１０９】
また、ステップ１６６で、Ｔ１＜Ｔ２であると判断された場合は、イニシャライズ処理が省略され、即座にステップ１６８のスタンバイ状態となる。
【０１１０】
この電子機器によれば、電源減少速度に基づいて、所定の時間Ｔ２が自動的に設定されるので、メモリ１３に所定時間Ｔ２のデータベースなどを記憶しておく必要がなくなる。従って、メモリ１３に対するアクセス量、アクセス頻度を制限できるので、メモリ１３の耐久性が良好になる。
【０１１１】
《第８の実施の形態》
図１４は、本発明に係る第８の実施の形態における電子機器のスタンバイ処理のフローチャートを示す。なお、この電子機器は、第１の実施の形態の電子機器１（図１参照）と同様である。
【０１１２】
ここでは、先ず、マイコン初期設定処理が行われる（Ｓ２１１）。次に、ラストメモリ機能がＯＮ中か否かが判断される（Ｓ２１２）。ここで、ラストメモリ機能がＯＮ中であると判断された場合は、次に、メモリ１３からメモリデータの読み出しが行われる（Ｓ２１３）。本実施形態では、メモリデータとして、電源遮断の直前の各可動部材１１ａ，１１ｂ・・・の状態が記憶されている。
【０１１３】
次に、読み出されたメモリデータが異常なしか否かが判断される（Ｓ２１４）。ここで、異常なしと判断された場合は、次に、読み出されたメモリデータがマイコン１２のメモリに反映され（Ｓ２１５）、スタンバイ状態となる（Ｓ２１６）。この場合は、イニシャライズ処理が省略される。
【０１１４】
上記ステップ２１２でラストメモリ機能がＯＮ中ではないと判断された場合、及び上記ステップ２１４でメモリデータが異常であると判断された場合には、次に、イニシャライズ処理が実行され（Ｓ２１７）、ステップ２１６のスタンバイ状態となる。
【０１１５】
なお、上記実施の形態では、本発明をディスク再生装置、或いはディスクチェンジャに適用した場合について説明したが、本発明は、電源投入時にイニシャライズ処理が行われる各種の電子機器に適用できる。
【図面の簡単な説明】
【０１１６】
【図１】本発明に係る第１の実施の形態における電子機器を示す図である。
【図２】本発明に係る第１の実施の形態における電子機器のラストメモリ処理を示すフローチャートである。
【図３】本発明に係る第１の実施の形態における電子機器のスタンバイ処理を示すフローチャートである。
【図４】本発明に係る第２の実施の形態における電子機器を示す図である。
【図５】本発明に係る第２の実施の形態における電子機器のスタンバイ処理を示すフローチャートである。
【図６】本発明に係る第３の実施の形態における電子機器を示す図である。
【図７】本発明に係る第３の実施の形態における電子機器のスタンバイ処理を示すフローチャートである。
【図８】本発明に係る第４の実施の形態における電子機器を示す図である。
【図９】本発明に係る第４の実施の形態における電子機器のスタンバイ処理を示すフローチャートである。
【図１０】本発明に係る第５の実施の形態における電子機器を示す図である。
【図１１】本発明に係る第５の実施の形態における電子機器のスタンバイ処理を示すフローチャートである。
【図１２】本発明に係る第６の実施の形態における電子機器のスタンバイ処理を示すフローチャートである。
【図１３】本発明に係る第７の実施の形態における電子機器のスタンバイ処理を示すフローチャートである。
【図１４】本発明に係る第８の実施の形態における電子機器のスタンバイ処理を示すフローチャートである。
【符号の説明】
【０１１７】
１  電子機器
１１  機構部
１１ａ，１１ｂ・・・  可動部材
１２  マイコン
１３  メモリ
１４  電源低下検知回路
１５  状態検出手段
２０  電子機器
２１  状態検出手段
３０  電子機器
３２  ID読み取り手段
４０  電子機器
５０  ディスクチェンジャ
５２  筺体
５３  ストッカ
５４  ＣＤ
５５  ＰＵ（ピックアップ）ユニット
５６  搬送ローラ
５８  昇降分割機構
５９  制御回路
【図１】
2007207379.tif 000003
【図２】
2007207379.tif 000004
【図３】
2007207379.tif 000005
【図４】
2007207379.tif 000006
【図５】
2007207379.tif 000007
【図６】
2007207379.tif 000008
【図７】
2007207379.tif 000009
【図８】
2007207379.tif 000010
【図９】
2007207379.tif 000011
【図１０】
2007207379.tif 000012
【図１１】
2007207379.tif 000013
【図１２】
2007207379.tif 000014
【図１３】
2007207379.tif 000015
【図１４】
2007207379.tif 000016